【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
スケジューリングエンティティにおけるワイヤレス通信の方法であって、
少なくとも第2の制御情報部分のサイズを示す第1の制御情報を含む第1の制御情報部分を生成するステップと、
前記第1の制御情報部分をスロットの制御領域内で送信するステップと、
前記スケジューリングエンティティと、1つまたは複数の後続のスロット内で前記スケジューリングエンティティとワイヤレス通信する1つまたは複数のスケジュール対象エンティティとの間のデータトラフィックの送信の許可に関連する第2の制御情報を有する前記第2の制御情報部分を生成するステップと、
前記第2の制御情報部分を前記スロットのトラフィック領域内ですべてのリソース要素を介して送信するステップとを含み、
前記第2の制御情報が、チャネル品質インジケータ要求、サウンディング基準信号要求、またはその両方を含む、方法。
【請求項２】
前記第1の制御情報部分は、前記許可に関する初期制御情報をさらに含み、
前記初期制御情報は、前記許可に関するリソース割当て、ランク、または変調次数のうちの1つまたは複数を含み、
前記第2の制御情報は、送信電力制御インジケータを含む、請求項1に記載の方法。
【請求項３】
前記第2の制御情報部分は、前記1つまたは複数の後続のスロットに関する1つまたは複数のさらなる許可をさらに含む、請求項1に記載の方法。
【請求項４】
前記第1の制御情報は、前記第2の制御情報部分の符号レートをさらに示す、請求項1に記載の方法。
【請求項５】
前記第1の制御情報部分は、前記許可に関する初期制御情報をさらに含み、
前記初期制御情報は、前記許可に関するリソース割当て、ランク、または変調次数を含み、
前記リソース割当ては、2つ以上のスケジュール対象エンティティに共通に割り当てられ、
前記方法は、前記第2の制御情報部分の巡回冗長検査を、前記2つ以上のスケジュール対象エンティティのうちの1つの識別子によってスクランブルするステップをさらに含む、請求項1に記載の方法。
【請求項６】
前記第2の制御情報部分を送信するステップは、
第2の制御情報部分を、前記スロットの前記トラフィック領域内で、前記第2の制御情報部分に割り振られた前記リソース要素にわたって分散するステップをさらに含む、請求項1に記載の方法。
【請求項７】
前記第2の制御情報部分が前記スロットの前記トラフィック領域内で前記リソース要素のすべてを占有することを示す特定の無線ネットワーク一時識別子(RNTI)によって前記第1の制御情報部分の巡回冗長検査をスクランブルするステップをさらに含む、請求項1に記載の方法。
【請求項８】
スケジューリングエンティティにおけるワイヤレス通信の方法であって、
少なくとも第2の制御情報部分のサイズを示す第1の制御情報を含む第1の制御情報部分を生成するステップと、
前記第1の制御情報部分をスロットの制御領域内で送信するステップと、
2つ以上の制御情報構成要素を連結したものを含む第2の制御情報を有する前記第2の制御情報部分を生成するステップであって、前記制御情報構成要素の各々が、前記スケジューリングエンティティと1つまたは複数のスケジュール対象エンティティとの間のデータトラフィックの送信のためのそれぞれの許可に関するそれぞれの完全な制御情報を有する、ステップと、
前記第2の制御情報部分を前記スロットのトラフィック領域内ですべてのリソース要素を介して送信するステップとを含み、
前記第2の制御情報が、チャネル品質インジケータ要求、サウンディング基準信号要求、またはその両方を含む、方法。
【請求項９】
前記2つ以上の制御情報構成要素が、それぞれのヘッダによって分離されている、請求項8に記載の方法。
【請求項１０】
前記2つ以上の制御情報構成要素が、複数のスケジュール対象エンティティに関連し、
前記方法が、
前記複数のスケジュール対象エンティティに関連するグループ無線ネットワーク一時識別子(RNTI)またはブロードキャストRNTIによって前記第2の制御情報部分の巡回冗長検査をスクランブルするステップをさらに含む、請求項8に記載の方法。
【請求項１１】
前記2つ以上の制御情報構成要素が、ユーザ固有制御情報および共通の制御情報を含む、請求項8に記載の方法。
【請求項１２】
ワイヤレス通信ネットワーク内のスケジューリングエンティティであって、
プロセッサと、
前記プロセッサに通信可能に結合されたメモリと、
前記プロセッサに通信可能に結合されたトランシーバとを備え、前記プロセッサは、
少なくとも第2の制御情報部分のサイズを示す第1の制御情報を含む第1の制御情報部分を生成することと、
前記第1の制御情報部分をスロットの制御領域内で送信することと、
前記スケジューリングエンティティと、1つまたは複数の後続のスロット内で前記スケジューリングエンティティとワイヤレス通信する1つまたは複数のスケジュール対象エンティティとの間のデータトラフィックの送信の許可に関連する第2の制御情報を有する前記第2の制御情報部分を生成することと、
前記第2の制御情報部分を前記スロットのトラフィック領域内ですべてのリソース要素を介して送信することとを行うように構成され、
前記第2の制御情報が、チャネル品質インジケータ要求、サウンディング基準信号要求、またはその両方を含む、スケジューリングエンティティ。
【請求項１３】
前記第1の制御情報部分は、前記許可に関する初期制御情報をさらに含み、
前記初期制御情報は、前記許可に関するリソース割当て、ランク、または変調次数のうちの1つまたは複数を含み、
前記第2の制御情報は、送信電力制御インジケータを含む、請求項12に記載のスケジューリングエンティティ。
【請求項１４】
前記第2の制御情報部分は、前記1つまたは複数の後続のスロットに関する1つまたは複数のさらなる許可をさらに含む、請求項12に記載のスケジューリングエンティティ。
【請求項１５】
前記第1の制御情報は、前記第2の制御情報部分の符号レートをさらに示す、請求項12に記載のスケジューリングエンティティ。
【請求項１６】
前記プロセッサが、前記第2の制御情報部分が前記スロットの前記トラフィック領域内で前記リソース要素のすべてを占有することを示す特定の無線ネットワーク一時識別子(RNTI)によって前記第1の制御情報部分の巡回冗長検査をスクランブルすることをさらに行うように構成される、請求項12に記載のスケジューリングエンティティ。
【請求項１７】
ワイヤレス通信ネットワーク内のスケジューリングエンティティであって、
プロセッサと、
前記プロセッサに通信可能に結合されたメモリと、
前記プロセッサに通信可能に結合されたトランシーバとを備え、前記プロセッサは、
少なくとも第2の制御情報部分のサイズを示す第1の制御情報を含む第1の制御情報部分を生成することと、
前記第1の制御情報部分をスロットの制御領域内で送信することと、
2つ以上の制御情報構成要素を連結したものを含む第2の制御情報を有する前記第2の制御情報部分を生成することであって、前記制御情報構成要素の各々が、前記スケジューリングエンティティと1つまたは複数のスケジュール対象エンティティとの間のデータトラフィックの送信のためのそれぞれの許可に関するそれぞれの完全な制御情報を有する、ことと、
前記第2の制御情報部分を前記スロットのトラフィック領域内ですべてのリソース要素を介して送信することとを行うように構成され、
前記第2の制御情報が、チャネル品質インジケータ要求、サウンディング基準信号要求、またはその両方を含む、スケジューリングエンティティ。
【請求項１８】
前記2つ以上の制御情報構成要素が、複数のスケジュール対象エンティティに関連し、
前記プロセッサが
前記複数のスケジュール対象エンティティに関連するグループ無線ネットワーク一時識別子(RNTI)またはブロードキャストRNTIによって前記第2の制御情報部分の巡回冗長検査をスクランブルするようにさらに構成される、請求項17に記載のスケジューリングエンティティ。
【請求項１９】
前記2つ以上の制御情報構成要素が、ユーザ固有制御情報および共通の制御情報を含む、請求項17に記載のスケジューリングエンティティ。
【請求項２０】
前記2つ以上の制御情報構成要素が、それぞれのヘッダによって分離されている、請求項17に記載のスケジューリングエンティティ。
【請求項２１】
ワイヤレス通信ネットワーク内のスケジューリングエンティティであって、
少なくとも第2の制御情報部分のサイズを示す第1の制御情報を含む第1の制御情報部分を生成するための手段と、
前記第1の制御情報部分をスロットの制御領域内で送信するための手段と、
前記スケジューリングエンティティと、1つまたは複数の後続のスロット内で前記スケジューリングエンティティとワイヤレス通信する1つまたは複数のスケジュール対象エンティティとの間のデータトラフィックの送信の許可に関連する第2の制御情報を有する前記第2の制御情報部分を生成するための手段と、
前記第2の制御情報部分を前記スロットのトラフィック領域内ですべてのリソース要素を介して送信するための手段とを備え、
前記第2の制御情報が、チャネル品質インジケータ要求、サウンディング基準信号要求、またはその両方を含む、スケジューリングエンティティ。
【請求項２２】
前記第1の制御情報部分は、前記許可に関する初期制御情報をさらに含み、
前記初期制御情報は、前記許可に関するリソース割当て、ランク、または変調次数のうちの1つまたは複数を含み、
前記第2の制御情報は、送信電力制御インジケータを含む、請求項21に記載のスケジューリングエンティティ。
【請求項２３】
前記第2の制御情報部分は、前記1つまたは複数の後続のスロットに関する1つまたは複数のさらなる許可をさらに含む、請求項21に記載のスケジューリングエンティティ。
【請求項２４】
前記第1の制御情報は、前記第2の制御情報部分の符号レートをさらに示す、請求項21に記載のスケジューリングエンティティ。
【請求項２５】
前記第2の制御情報部分が前記スロットの前記トラフィック領域内で前記リソース要素のすべてを占有することを示す特定の無線ネットワーク一時識別子(RNTI)によって前記第1の制御情報部分の巡回冗長検査をスクランブルするための手段をさらに含む、請求項21に記載のスケジューリングエンティティ。